(57)【要約】【課題】ＩＥＣ規格に準拠したコンセント、プラグ及び配線装置であって、信号伝送用の配線が容易に行えるコンセント、プラグ及び配線装置を提供する。【解決手段】プラグ１Ａは、丸穴状の嵌合穴１３が開口する嵌合部１２と、嵌合穴１３の内部にプラグ挿抜方向に沿って配置された電圧極用のピン端子１５ａ，１５ｂと、嵌合穴１３の外側部位にプラグ挿抜方向に沿って配置された信号伝送用のピン端子１６ａ，１６ｂとを備える。コンセント２Ａは、プラグ１Ａが備える電圧極用のピン端子１５ａ，１５ｂが挿抜自在に接続されるＩＥＣ規格に準拠した電源端子接続部３Ａと、電源端子接続部３Ａとは異なる部位に設けられ、プラグ１Ａが備える信号伝送用のピン端子１６ａ，１６ｂが挿抜自在に接続される信号端子接続部３Ｂとを備える。【選択図】図１
2010055896.tif 000002
【特許請求の範囲】
【請求項１】
前面に丸穴状の嵌合穴が開口する嵌合部と、嵌合穴の内部にプラグ挿抜方向に沿って配置された複数の電圧極用のピン端子とを具備したプラグが挿抜自在に接続され、プラグを介して負荷側に電源を供給するコンセントであって、
プラグの嵌合部が挿入されるプラグ挿入用穴の内周面との間に隙間を設けた状態で、プラグ挿入用穴の底面から前方に向かって突出し、嵌合穴内に挿入される円柱状の突出部、当該突出部の前面に開口して電圧極用のピン端子が差込接続される端子挿入用孔、端子挿入用孔を通して突出部内に挿入される電圧極用のピン端子に電気的に接続される刃受部材を具備して、プラグが備える電圧極用のピン端子が挿抜自在に接続されるＩＥＣ規格に準拠した電源端子接続部と、
電源端子接続部とは異なる部位に設けられ、プラグが備える信号伝送用のピン端子が挿抜自在に接続される信号端子接続部とを備えたことを特徴とするコンセント。
【請求項２】
プラグが備える接地極用のピン端子が挿抜自在に接続される接地端子接続部が、電源端子接続部及び信号端子接続部とは異なる位置に設けられたことを特徴とする請求項１記載のコンセント。
【請求項３】
前記電源端子接続部は、給電電圧の異なるプラグが接続されるのを防止する誤接続防止手段を備えたことを特徴とする請求項１又は２の何れかに記載のコンセント。
【請求項４】
前記電源端子接続部に接続される前記プラグの抜け止めを行う抜止手段を備えたことを特徴とする請求項１乃至３の何れか１項に記載のコンセント。
【請求項５】
丸穴状に開口するプラグ挿入用穴、プラグ挿入用穴の内周面との間に隙間を設けた状態でプラグ挿入用穴の底面から前方に向かって突出する円柱状の突出部、前記突出部の前面に開口した電圧極用の複数の電源端子挿入用孔、及び前記突出部の内部に電源端子挿入用孔に臨んで配置された電圧極用の複数の刃受部材を具備したコンセントに挿抜自在に接続されるプラグであって、
前記プラグ挿入用穴に挿抜自在に挿入される嵌合部、嵌合部の表面に開口して前記突出部が挿入される丸穴状の嵌合穴、及び、嵌合穴の内部にプラグ挿抜方向に沿って配置され、前記各端子挿入用孔から前記突出部内に挿入されて電圧極用の前記刃受部材に電気的に接続される電圧極用の複数のピン端子を具備したＩＥＣ規格に準拠の電源端子部と、
当該電源端子部とは異なる部位に設けられ、コンセントが備える信号端子挿入用孔に挿入されて、コンセントの内部に配置された信号伝送用の刃受部材に電気的に接続される信号伝送用のピン端子を具備した信号端子部とを備えたことを特徴とするプラグ。
【請求項６】
電源端子部及び信号端子部とは異なる部位に設けられ、コンセントが備える接地端子挿入用孔に挿入されて、コンセントの内部に配置された接地極用の刃受部材に電気的に接続される接地極用のピン端子を備えたことを特徴とする請求項５記載のプラグ。
【請求項７】
給電電圧の異なるコンセントに接続されるのを防止する誤接続防止手段を備えたことを特徴とする請求項５又は６の何れかに記載のプラグ。
【請求項８】
コンセントに接続された状態で抜け止めを行う抜止手段を備えたことを特徴とする請求項５乃至７の何れか１項に記載のプラグ。
【請求項９】
電線に接続されるプラグと、施工面に配設され、前記プラグが着脱自在に接続され当該プラグを介して負荷側に電源を供給するコンセントとを備え、
前記プラグは、丸穴状の嵌合穴が開口する嵌合部と、嵌合穴の内部にプラグ挿抜方向に沿って配置された電圧極用の複数のピン端子と、前記嵌合穴の外側部位にプラグ挿抜方向に沿って配置された信号伝送用のピン端子とを備えるとともに、
前記コンセントは、
プラグの嵌合部が挿入されるプラグ挿入用穴の内周面との間に隙間を設けた状態で、プラグ挿入用穴の底面から前方に向かって突出し、嵌合穴内に挿入される円柱状の突出部、当該突出部の前面に開口して電圧極用の複数のピン端子が差込接続される複数の端子挿入用孔、各端子挿入用孔を通して突出部内に挿入される電圧極用のピン端子にそれぞれ電気的に接続される複数の刃受部材を具備して、プラグが備える電圧極用のピン端子が挿抜自在に接続されるＩＥＣ規格に準拠した電源端子接続部と、
電源端子接続部とは異なる部位に設けられ、プラグが備える信号伝送用のピン端子が挿抜自在に接続される信号端子接続部とを備えたことを特徴とする配線装置。
【請求項１０】
前記プラグが接地極用のピン端子を備えるとともに、前記コンセントが、前記電源端子接続部及び前記信号端子接続部とは異なる部位に、前記接地極用のピン端子が挿抜自在に接続される接地端子接続部を備えたことを特徴とする請求項９記載の配線装置。
【請求項１１】
前記電源端子接続部は、給電電圧の異なるプラグが接続されるのを防止する誤接続防止手段を備えたことを特徴とする請求項９又は１０の何れかに記載の配線装置。
【請求項１２】
前記コンセントに接続される前記プラグの抜け止めを行う抜止手段を備えたことを特徴とする請求項９乃至１１の何れか１項に記載の配線装置。
【発明の詳細な説明】
【技術分野】
【０００１】
本発明は、低電圧の電路を接続するために使用される配線装置に関するものである。
【背景技術】
【０００２】
従来、ラジオや電話機などの機器は直流電源を駆動電源としており、このような直流機器に直流電源を供給するための直流コンセントが公知であった（例えば特許文献１参照）。
【特許文献１】特開平７−１５８３５号公報（段落［００２１］−［００２３］、及び、第１図）
【発明の開示】
【発明が解決しようとする課題】
【０００３】
上記特許文献１の直流コンセントでは、直流電源のコンセント口が、ＡＣアダプタの備えるピンタイプのプラグに対応したコンセント口となっており、メーカ毎或いは国毎にプラグの形状が異なるため、汎用性が乏しいものであった。
【０００４】
一方、ＩＥＣ規格（ＣＥＩ／ＩＥＣ  ９０６−３）において、ＳＥＬＶ（Safty Extra Low Voltage：安全特別低電圧）回路で使用されるプラグ及びソケットが規格化されており、この規格に準拠したプラグが着脱自在に接続されるコンセントを本願の出願人は提案している。
【０００５】
しかしながら、上述の特許文献１に開示される直流コンセントや、ＩＥＣ規格に準拠したコンセントは信号伝送用の刃受部材を備えていないため、負荷機器に信号伝送用の配線を接続したい場合は、負荷機器からの電源線に設けたプラグをコンセントに接続するのとは別に、負荷機器が備える信号伝送用の端子を、信号伝送用の配線器具に別途接続する必要があり、配線作業に手間がかかっていた。
【０００６】
本発明は上記問題点に鑑みて為されたものであり、その目的とするところは、ＩＥＣ規格に準拠したコンセント、プラグ及び配線装置であって、信号伝送用の配線が容易に行えるコンセント、プラグ及び配線装置を提供することにある。
【課題を解決するための手段】
【０００７】
上記目的を達成するために、請求項１の発明は、前面に丸穴状の嵌合穴が開口する嵌合部と、嵌合穴の内部にプラグ挿抜方向に沿って配置された複数の電圧極用のピン端子とを具備したプラグが挿抜自在に接続され、プラグを介して負荷側に電源を供給するコンセントであって、プラグの嵌合部が挿入されるプラグ挿入用穴の内周面との間に隙間を設けた状態で、プラグ挿入用穴の底面から前方に向かって突出し、嵌合穴内に挿入される円柱状の突出部、当該突出部の前面に開口して電圧極用のピン端子が差込接続される端子挿入用孔、端子挿入用孔を通して突出部内に挿入される電圧極用のピン端子に電気的に接続される刃受部材を具備して、プラグが備える電圧極用のピン端子が挿抜自在に接続されるＩＥＣ規格に準拠した電源端子接続部と、電源端子接続部とは異なる部位に設けられ、プラグが備える信号伝送用のピン端子が挿抜自在に接続される信号端子接続部とを備えたことを特徴とする。
【０００８】
請求項２の発明は、請求項１の発明において、プラグが備える接地極用のピン端子が挿抜自在に接続される接地端子接続部が、電源端子接続部及び信号端子接続部とは異なる位置に設けられたことを特徴とする。
【０００９】
請求項３の発明は、請求項１又は２の発明において、電源端子接続部は、給電電圧の異なるプラグが接続されるのを防止する誤接続防止手段を備えたことを特徴とする。
【００１０】
請求項４の発明は、請求項１乃至３の何れかの発明において、電源端子接続部に接続されるプラグの抜け止めを行う抜止手段を備えたことを特徴とする。
【００１１】
請求項５の発明は、丸穴状に開口するプラグ挿入用穴、プラグ挿入用穴の内周面との間に隙間を設けた状態でプラグ挿入用穴の底面から前方に向かって突出する円柱状の突出部、突出部の前面に開口した電圧極用の複数の電源端子挿入用孔、及び突出部の内部に電源端子挿入用孔に臨んで配置された電圧極用の複数の刃受部材を具備したコンセントに挿抜自在に接続されるプラグであって、プラグ挿入用穴に挿抜自在に挿入される嵌合部、嵌合部の表面に開口して突出部が挿入される丸穴状の嵌合穴、及び、嵌合穴の内部にプラグ挿抜方向に沿って配置され、各端子挿入用孔から突出部内に挿入されて電圧極用の刃受部材に電気的に接続される電圧極用の複数のピン端子を具備したＩＥＣ規格に準拠の電源端子部と、当該電源接続部とは異なる部位に設けられ、コンセントが備える信号端子挿入用孔に挿入されて、コンセントの内部に配置された信号伝送用の刃受部材に電気的に接続される信号伝送用のピン端子を具備した信号端子部とを備えたことを特徴とする。
【００１２】
請求項６の発明は、請求項５の発明において、電源端子部及び信号端子部とは異なる部位に設けられ、コンセントが備える接地端子挿入用孔に挿入されて、コンセントの内部に配置された接地極用の刃受部材に電気的に接続される接地極用のピン端子を備えたことを特徴とする。
【００１３】
請求項７の発明は、請求項５又は６の発明において、給電電圧の異なるコンセントに接続されるのを防止する誤接続防止手段を備えたことを特徴とする。
【００１４】
請求項８の発明は、請求項５乃至７の何れかの発明において、コンセントに接続された状態で抜け止めを行う抜止手段を備えたことを特徴とする。
【００１５】
請求項９の発明は、電線に接続されるプラグと、施工面に配設され、プラグが着脱自在に接続され当該プラグを介して負荷側に電源を供給するコンセントとを備え、プラグは、丸穴状の嵌合穴が開口する嵌合部と、嵌合穴の内部にプラグ挿抜方向に沿って配置された電圧極用の複数のピン端子と、嵌合穴の外側部位にプラグ挿抜方向に沿って配置された信号伝送用のピン端子とを備えるとともに、コンセントは、プラグの嵌合部が挿入されるプラグ挿入用穴の内周面との間に隙間を設けた状態で、プラグ挿入用穴の底面から前方に向かって突出し、嵌合穴内に挿入される円柱状の突出部、当該突出部の前面に開口して電圧極用の複数のピン端子が差込接続される複数の端子挿入用孔、各端子挿入用孔を通して突出部内に挿入される電圧極用のピン端子にそれぞれ電気的に接続される複数の刃受部材を具備して、プラグが備える電圧極用のピン端子が挿抜自在に接続されるＩＥＣ規格に準拠した電源端子接続部と、電源端子接続部とは異なる部位に設けられ、プラグが備える信号伝送用のピン端子が挿抜自在に接続される信号端子接続部とを備えたことを特徴とする。
【００１６】
請求項１０の発明は、請求項９の発明において、プラグが接地極用のピン端子を備えるとともに、コンセントが、電源端子接続部及び信号端子接続部とは異なる部位に、接地極用のピン端子が挿抜自在に接続される接地端子接続部を備えたことを特徴とする。
【００１７】
請求項１１の発明は、請求項９又は１０の発明において、電源端子接続部は、給電電圧の異なるプラグが接続されるのを防止する誤接続防止手段を備えたことを特徴とする。
【００１８】
請求項１２の発明は、請求項９乃至１１の何れかの発明において、コンセントに接続されるプラグの抜け止めを行う抜止手段を備えたことを特徴とする。
【発明の効果】
【００１９】
請求項１の発明によれば、コンセントは電源端子接続部と信号端子接続部の両方を備えており、信号伝送用のピン端子を備えたプラグがコンセントに接続されると、プラグの電圧極用のピン端子が電源端子接続部に接続されるとともに、信号伝送用のピン端子が信号端子接続部に接続されるので、負荷機器からのプラグをコンセントに接続するだけで負荷機器との間で信号伝送を行うことができ、配線の手間を簡略化することができる。またコンセントの電源端子接続部はＩＥＣ規格に準拠しており、ＩＥＣ規格に準拠したプラグであれば接続が可能であり、しかも信号端子接続部は電源端子接続部の外側に設けられているので、ＩＥＣ規格に準拠したプラグであれば、信号伝送用のピン端子を備えていないプラグでも接続することができる。
【００２０】
請求項２の発明によれば、コンセントは、電源端子接続部及び信号端子接続部の他に接地端子接続部を備えているので、負荷機器からのプラグをコンセントに接続するだけで負荷機器を接地することができ、配線作業を簡略化することができる。
【００２１】
請求項３の発明によれば、給電電圧の異なるプラグがコンセントに接続されるのを防止することができ、コンセントに接続される負荷機器に対して適切な給電電圧を供給することができる。
【００２２】
請求項４の発明によれば、抜止手段によってプラグがコンセントから不用意に抜かれるのを防止することができる。
【００２３】
請求項５の発明によれば、プラグは電圧極用のピン端子と信号伝送用のピン端子を両方共に備えており、このプラグが対応するコンセントに接続されると、電圧極用のピン端子がコンセントの電源端子接続部に接続されるとともに、信号伝送用のピン端子がコンセントの信号端子接続部に接続されるので、負荷機器からのプラグをコンセントに接続するだけで負荷機器との間で信号伝送を行うことができ、配線の手間を簡略化することができる。またプラグはＩＥＣ規格に準拠しており、ＩＥＣ規格に準拠したコンセントであれば接続が可能であるから、汎用性が向上するという利点もある。
【００２４】
請求項６の発明によれば、プラグは、電圧極用のピン端子及び信号伝送用のピン端子の他に接地極用のピン端子を備えているので、負荷機器からのプラグをコンセントに接続するだけで負荷機器を接地することができ、配線作業を簡略化することができる。
【００２５】
請求項７の発明によれば、給電電圧の異なるプラグがコンセントに接続されるのを防止することができ、コンセントに接続される負荷機器に対して適切な給電電圧を供給することができる。
【００２６】
請求項８の発明によれば、抜止手段によってプラグがコンセントから不用意に抜かれるのを防止することができる。
【００２７】
請求項９の発明によれば、コンセントは電源端子接続部と信号端子接続部の両方を備え、且つ、プラグは電圧極用のピン端子と信号伝送用のピン端子を両方共に備えており、このプラグをコンセントに接続すると、電圧極用のピン端子が電源端子接続部に接続されるとともに、信号伝送用のピン端子が信号端子接続部に接続されるので、負荷機器からのプラグをコンセントに接続するだけで負荷機器との間で信号伝送を行うことができ、配線の手間を簡略化することができる。またコンセントの電源端子接続部はＩＥＣ規格に準拠しているので、ＩＥＣ規格に準拠したプラグであれば接続が可能であり、しかも信号端子接続部は電源端子接続部の外側に設けられているので、ＩＥＣ規格に準拠したプラグであれば、信号伝送用のピン端子を備えていないプラグでも接続することができる。
【００２８】
請求項１０の発明によれば、コンセントは、電源端子接続部及び信号端子接続部の他に接地端子接続部を備えているので、負荷機器からのプラグをコンセントに接続するだけで負荷機器を接地することができ、配線作業を簡略化することができる。
【００２９】
請求項１１の発明によれば、給電電圧の異なるプラグがコンセントに接続されるのを防止することができ、コンセントに接続される負荷機器に対して適切な給電電圧を供給することができる。
【００３０】
請求項１２の発明によれば、抜止手段によってプラグがコンセントから不用意に抜かれるのを防止することができる。
【発明を実施するための最良の形態】
【００３１】
以下に本発明の実施の形態を図面に基づいて説明する。
【００３２】
（実施形態１）
本発明に係る配線装置の実施形態１を図１〜図８に基づいて説明する。図１（ａ）（ｂ）は直流電源用の配線装置を示し、負荷機器６０からの電線６１に接続されるプラグ１Ａと、当該プラグ１Ａが着脱自在に接続されるソケット部３を有して施工面に配設されるコンセント２Ａとで構成される。尚、ソケット部３には、交流電源ＡＣ（例えばＡＣ１００Ｖ）をトランス７０により降圧した後、ＡＣ／ＤＣコンバータ７１により負荷機器６０に適合した電圧値（例えばＤＣ６Ｖ，１２Ｖ，２４Ｖ，４８Ｖ）に変換された直流電源が供給されており、コンセント２Ａにプラグ１Ａが接続された負荷機器６０に対して直流電源が供給されるようになっている。
【００３３】
また図２（ａ）（ｂ）は交流電源用の配線装置を示し、ソケット部３には、交流電源ＡＣ（例えばＡＣ１００Ｖ）をトランス７０により負荷機器６０に適合した電圧値（例えばＡＣ６Ｖ，１２Ｖ，２４Ｖ，４８Ｖ）に変換した交流電源が供給されており、コンセント２Ａにプラグ１Ａが接続された負荷機器６０に対して交流電源が供給されるようになっている。
【００３４】
プラグ１Ａは、図６及び図７に示すように、負荷機器６０からの電線６１の端部に接続され、略直方体状であって一面（図６（ａ）中の上面）が断面半円形に湾曲した把持部１１を有し、把持部１１の前側部には後側部に比べて細幅の嵌合部１２が一体に設けられている。嵌合部１２の前面には、丸穴状に凹んだ嵌合穴１３が図６（ａ）中の上側に、角穴状に凹んだ嵌合穴１４が同図中の下側にそれぞれ開口し、嵌合穴１３と嵌合穴１４との間には所定の間隔を設けてある。
【００３５】
丸穴状の嵌合穴１３の内部には、導電材料によりそれぞれ丸棒状に形成された電圧極用の２本のピン端子１５ａ，１５ｂが配置されている。また角穴状の嵌合穴１４の内部には、導電材料により矩形板状に形成された信号伝送用の２本のピン端子１６ａ，１６ｂが、図６（ａ）中の右側に上下に並べて配置されるとともに、導電材料により丸棒状に形成された接地極用のピン端子１５ｃが同図中の左側に配置されている。すなわち、信号伝送用のピン端子１６ａ，１６ｂは、電圧極用のピン端子１５ａ，１５ｂが配置される嵌合穴１３の外側部位（嵌合穴１４内）にプラグ挿抜方向に沿って配置されている。
【００３６】
ピン端子１５ａ，１５ｂが配置された嵌合穴１３の内周面には、基準位置を示す基準リブ１７がプラグ挿抜方向（図６（ｃ）の左右方向）に沿って突設されている。そして、嵌合穴１３の中心位置を通り、当該中心位置と基準リブ１７とを結ぶ線分に対して直交する直線上には、中心位置に対して対称な位置に上述のピン端子１５ａ，１５ｂがプラグ挿抜方向に沿って配置されている。
【００３７】
ここで、直流電源用のプラグ１Ａでは、図８（ａ）に示すように基準リブ１７を上側に見た時に右側に位置するピン端子１５ａが正極側、左側に位置するピン端子１５ｂが負極側のピン端子となっている。また嵌合穴１３の内周面には、電源の種類（直流又は交流の別、及び定格電圧）に応じた位置に、プラグ挿抜方向に沿って延びる誤接続防止用の識別リブ１８が突設されている。図８（ａ）はＤＣ電源用のプラグ１Ａに設けられた識別リブ１８の位置を示し、電源電圧がＤＣ６Ｖ，１２Ｖ，２４Ｖ，４８Ｖの場合、それぞれ、基準リブ１７の位置を基準（０°）として左回りに１２０°，１５０°，２１０°，２４０°の位置に識別リブ１８が１箇所ずつ形成されている。また図８（ｂ）はＡＣ電源用のプラグ１Ａに設けられた識別リブ１８の位置を示し、電源電圧がＡＣ６Ｖ，１２Ｖ，２４Ｖ，４８Ｖの場合、それぞれ、基準リブ１７の位置を基準として左回りに３０°，６０°，３００°，３３０°の位置に識別リブ１８が１箇所ずつ形成されている。ここにおいて、図６及び図７に示すプラグはＤＣ４８Ｖ用であり、基準リブ１７に対して左回りに２４０°の位置に識別リブ１８が形成されている。すなわち本実施形態のプラグ１Ａは、嵌合部１２、嵌合穴１３及び電圧極用のピン端子１５ａ，１５ｂを具備したＩＥＣ規格に準拠の電源端子部５Ａを備えるとともに、嵌合穴１４内に配置された信号伝送用のピン端子１６ａ，１６ｂからなる信号端子部５Ｂと、嵌合穴１４内に配置された接地極用のピン端子１５ｃからなる接地端子部５Ｃとを備え、各端子部５Ａ〜５Ｃは互いに異なる部位に設けられている。
【００３８】
一方、コンセント２Ａは、図３（ａ）〜（ｄ）に示すように前面にソケット部３が設けられた器体４を備える。器体４の前部にはプレート枠８が一体に設けられており、器体４の後部を施工面に開口する埋込孔（図示せず）に収めた状態で、プレート枠８の上下に設けた挿通孔にボックスねじ６を挿通し、このボックスねじ６を埋込ボックスのねじ孔に螺合することによって、器体４が施工面に埋込配設されるようになっている。
【００３９】
コンセント２Ａが備えるソケット部３には、図３及び図４にプラグ１Ａの嵌合部１２の前面と形状及び大きさが同じであって嵌合部１２が挿抜自在に接続されるプラグ挿入用穴３１が開口している。プラグ挿入用穴３１の底面からは、プラグ１Ａの嵌合穴１３内に挿入される円柱状の突出部３２と、嵌合穴１４内に挿入される角柱状の突出部３３とがそれぞれ前方に向かって突出形成されている。
【００４０】
そして、円柱状の突出部３２の前面には、電圧極用のピン端子１５ａ，１５ｂがそれぞれ挿入される端子挿入用孔３４ａ，３４ｂが開口し、突出部３２の内側には端子挿入用孔３４ａ，３４ｂを通して内部に挿入されるピン端子１５ａ，１５ｂに電気的に接続される刃受部材３５，３５が収納されている。なお突出部３２の外周面には、基準位置を示す嵌合溝３７がプラグ挿抜方向に沿って形成されており、突出部３２の中心位置を通り、当該中心位置と嵌合溝３７とを結ぶ線分に対して直交する直線上には、中心位置に対して対称な位置に上記の端子挿入用孔３４ａ，３４ｂが開口している。ここにおいて、ＤＣ電源用のソケット部３では、図５（ａ）に示すように嵌合溝３７を上側に見た時に左側に位置する端子挿入用孔３４ａが正極側のピン端子に対応し、右側に位置する端子挿入用孔３４ｂが負極側のピン端子に対応している。ここにおいて、プラグ挿入用穴３１、突出部３２、端子挿入用孔３４ａ，３４ｂ、刃受部材３５，３５などから、プラグ１Ａの備える電圧極用のピン端子１５ａ，１５ｂが挿抜自在に接続されるＩＥＣ規格に準拠した電源端子接続部３Ａが構成される。
【００４１】
また突出部３２の外周面には、電源の種類（直流又は交流の別、及び定格電圧）に応じた位置に、対応するプラグ１Ａの識別リブ１８が嵌合する誤接続防止用の嵌合溝３８（誤接続防止溝）が形成されている。ここで、図５（ａ）はＤＣ電源用のソケット部３に設けられた嵌合溝３８の位置を示し、電源電圧がＤＣ６Ｖ，１２Ｖ，２４Ｖ，４８Ｖの場合、それぞれ、嵌合溝３７の位置を基準（０°）として右回りに１２０°，１５０°，２１０°，２４０°の位置に嵌合溝３８が１箇所ずつ形成されている。また、図５（ｂ）はＡＣ電源用のソケット部３に設けられた嵌合溝３８の位置を示し、電源電圧がＡＣ６Ｖ，１２Ｖ，２４Ｖ，４８Ｖの場合、それぞれ、嵌合溝３７の位置を基準（０°）として右回りに３０°，６０°，３００°，３３０°の位置に嵌合溝３８が１箇所ずつ形成されている。なお図３及び図４に示すソケット部３はＤＣ４８Ｖ用であり、嵌合溝３７の位置を基準として右回りに２４０°の位置に嵌合溝３８が形成されている。このように、ソケット部３では、突出部３２の外周面において給電電圧に応じた位置に、プラグ１Ａに設けた識別リブ１８が係入する嵌合溝３８が形成されているので、識別リブ１８及び嵌合溝３８の位置によって、供給電圧の異なるプラグ１Ａがソケット部３に差込接続されるのを防止することができ、負荷機器６０に適合した電源を供給することができる。ここにおいて、突出部３２の外周面に形成された嵌合溝３８や、嵌合穴１３の内周面に突設された識別リブ１８から、給電電圧の異なるプラグ１Ａがソケット部３に接続されるのを防止する誤接続防止手段が構成されている。
【００４２】
一方、角柱状の突出部３３の前面には、接地極用のピン端子１５ｃが挿入される端子挿入用孔３６ａと、信号伝送用の２本のピン端子１６ａ，１６ｂがそれぞれ挿入される角穴状の端子挿入用孔３６ｂ，３６ｃがそれぞれ開口している。突出部３３の内部には、上述の刃受部材３５と同様の形状を有する刃受部材（図示せず）が収納されており、端子挿入用孔３６ａを通して内部に挿入されたピン端子１５ｃが接地極用の刃受部材に電気的に接続されるとともに、端子挿入用孔３６ｂ，３６ｃを通して内部に挿入されたピン端子１６ａ，１６ｂが信号伝送用の刃受部材に電気的に接続されるようになっている。ここにおいて、突出部３３、端子挿入用孔３６ｂ，３６ｃ、及び端子挿入用孔３６ｂ，３６ｃを通して突出部３３内に挿入されるピン端子１６ａ，１６ｂに電気的に接続される刃受部材などから、電源端子接続部３Ａとは異なる部位に設けられて、プラグ１Ａが備える信号伝送用のピン１６ａ，１６ｂに電気的に接続される信号端子接続部３Ｂが構成される。また、突出部３３、端子挿入用孔３６ａ、及び端子挿入用孔３６ａを通して突出部３３内に挿入されるピン端子１５ｃに電気的に接続される刃受部材などから接地端子接続部３Ｃが構成され、電源端子接続部３Ａ、信号端子接続部３Ｂ及び接地端子接続部３Ｃはそれぞれ互いに異なる部位に配置されている。
【００４３】
また器体４の下側部には、図３（ｃ）に示すように、外部から２線式の信号線８０を接続するための端子台２２が設けられている。端子台２２は２極のねじ式端子２３，２３を備え、２極のねじ式端子２３，２３はそれぞれ信号伝送用の刃受部材に電気的に接続されている。
【００４４】
また更に器体４の背面には図３（ｃ）に示すように２個で１組の電線挿入孔２０が３組設けられている。器体４の内部には、各組の電線挿入孔２０からそれぞれ挿入される電線の芯線が電気的に接続される速結端子構造の端子部が３組収納されており、ＡＣ／ＤＣコンバータ７１の出力線および接地線を３組の端子部に接続することによって、刃受部材３５，３５に直流電源が供給されるとともに、接地極用の刃受部材（図示せず）が接地されるようになっている。また器体４の背面には、各組の端子部に対応する位置に解除釦操作孔２１が開口しており、マイナスドライバのような工具を解除釦操作孔２１から挿入して解除釦を押動することによって、端子部に接続された電線の接続状態を解除して、電線を容易に引き抜くことができる。尚、速結端子構造の端子部は従来周知であるので、その説明は省略する。
【００４５】
而して、ソケット部３に適合したプラグ１Ａの嵌合部１２がプラグ挿入用穴３１に挿入されると、嵌合部１２の嵌合穴１３，１４に突出部３２，３３が挿入されるとともに、嵌合部１２の内周面に設けた基準リブ１７及び識別リブ１８がそれぞれ突出部３２の嵌合溝３７，３８に係入される。このとき、突出部３２の端子挿入用孔３４ａ，３４ｂを通して、突出部３２内に挿入された電圧極用のピン端子１５ａ，１５ｂは、それぞれ、刃受部材３５，３５に電気的に接続されるとともに、突出部３３の端子挿入用孔３６ａを通して突出部３３内に挿入されたピン端子１５ｃが接地極用の刃受部材に、端子挿入用孔３６ｂ，３６ｃを通して突出部３３内に挿入されたピン端子１６ａ，１６ｂが信号伝送用の刃受部材にそれぞれ電気的に接続される。そして、各ピン端子１５ａ〜１５ｃ，１６ａ，１６ｂに刃受部材３５などが弾接する弾接力によって、プラグ１Ａがソケット部３に接続された状態で保持される。なおソケット部３では、突出部３２，３３の前面が器体４の前面よりも後退した位置にあるので、ソケット部３に接続されたプラグ１Ａの器体４前面からの突出量を小さくできる。
【００４６】
以上のように本実施形態のコンセント２Ａは電源端子接続部３Ａ及び接地端子接続部３Ｃに加えて信号端子接続部３Ｂを備えており、信号伝送用のピン端子１６ａ，１６ｂ及び接地極用のピン端子１５ｃを備えたプラグ１Ａがコンセント２Ａに接続されると、プラグ１Ａの電圧極用のピン端子１５ａ，１５ｂが電源端子接続部３Ａに、信号伝送用のピン端子１６ａ，１６ｂが信号端子接続部３Ｂに、接地極用のピン端子１５ｃが接地端子接続部３Ｃにそれぞれ接続されるので、負荷機器６０からのプラグ１Ａをコンセント２Ａに接続するだけで、負荷機器６０が備える信号伝送用の端子を信号線８０に接続することができ、且つ、負荷機器６０が接地されるから、配線接続の手間を簡略化できる。またコンセント２Ａの電源端子接続部３ＡはＩＥＣ規格に準拠しており、ＩＥＣ規格に準拠したプラグであれば接続が可能であり、しかも信号端子接続部３Ｂは電源端子接続部３Ａの外側に設けられているので、ＩＥＣ規格に準拠したプラグであれば、信号伝送用のピン端子１６ａ，１６ｂを備えていないプラグでも接続することができる。
【００４７】
（実施形態２）
本発明の実施形態２を図９〜図１３に基づいて説明する。
【００４８】
実施形態１で説明した配線装置はＳＥＬＶ回路で使用されるのに対して、本実施形態の配線装置は、ＳＥＬＶ回路に比べて絶縁等級の低いＥＬＶ（Extra Low Voltage：特別低電圧）回路で使用されるものであり、本実施形態のプラグ１Ｂは、図９及び図１０に示すように、実施形態１で説明したＳＥＬＶ回路用のプラグ１Ａと、嵌合穴１３の内周面からの基準リブ１７の突出量のみが相違し、この突出量がＳＥＬＶ回路用のプラグ１Ａに設けた基準リブ１７の突出量よりも小さい寸法に設定されている。さらに本実施形態のコンセント２Ｂが備えるソケット部３は、実施形態１で説明したＳＥＬＶ回路用のソケット部３と、突出部３２の側周面から嵌合溝３７の底面までの深さ寸法のみが相違し、この深さ寸法がＳＥＬＶ回路用のソケット部３に設けた嵌合溝３７の深さ寸法よりも小さい寸法に設定されている。尚、プラグ１Ｂは基準リブ１７の突出量を除けば、実施形態１のプラグ１Ａと同様であるので、共通する構成要素には同一の符号を付して、その説明は省略する。またコンセント２Ｂは嵌合溝３７の深さ寸法を除けば、実施形態１のコンセント２Ａと同様であるので、共通する構成要素には同一の符号を付して、その説明は省略する。
【００４９】
本実施形態のプラグ１Ｂ及びコンセント２ＢはＥＬＶ回路に用いられるものであり、プラグ１Ｂに設けた基準リブ１７の突出量、および、コンセント２Ｂに設けた嵌合溝３７の深さ寸法が、それぞれＳＥＬＶ回路用のプラグ１Ａ及びコンセント２Ａに比べて小さい寸法に設定されているので、ＥＬＶ回路用のプラグ１ＢをＳＥＬＶ回路用のコンセント２Ａに接続することは可能であるが、ＳＥＬＶ回路用のプラグ１ＡをＥＬＶ回路用のコンセント２Ｂに接続しようとしても、基準リブ１７が嵌合溝３７と干渉することによって、接続できないようになっている。ここで、ＥＬＶ回路はＳＥＬＶ回路よりも絶縁等級が低いので、ＥＬＶ回路用の負荷機器はＳＥＬＶ回路用の負荷機器よりも十分な絶縁対策がとられていると考えられ、したがって、ＥＬＶ回路で使用される負荷機器６２をＳＥＬＶ回路で使用したとしても、安全上の問題は発生しないと考えられるから、ＥＬＶ回路用のプラグ１ＢはＳＥＬＶ回路用のコンセント２Ａに接続可能としている。また上述とは逆に、ＳＥＬＶ回路で使用される負荷機器６０は、ＥＬＶ回路で使用される負荷機器６２に比べて、機器自体の絶縁対策が必ずしも十分と言えないものもあり、このような負荷機器６０がＥＬＶ回路で使用されると、感電などの事故が発生する可能性もあるが、ＳＥＬＶ回路用のプラグ１ＡはＥＬＶ回路用のコンセント２Ｂに接続できないため、ＳＥＬＶ回路用の負荷機器６０がＥＬＶ回路で使用されることはない。
【００５０】
ところで、本実施形態のプラグ１Ｂは、電圧極用のピン端子１５ａ，１５ｂに加えて、接地極用のピン端子１５ｃと、信号伝送用のピン端子１６ａ，１６ｂとを備えるとともに、コンセント２Ｂは、電源端子接続部３Ａに加えて信号端子接続部３Ｂと接地端子接続部３Ｃを備えているが、図１１に示すように、信号伝送用のピン端子１６ａ，１６ｂを持たないプラグ１Ｂ’と信号端子接続部３Ｂを持たないコンセント２Ｂ’とで構成される配線装置や、図１２及び図１３に示すように、接地極用のピン端子１５ｃを持たないプラグ１Ｂ”と接地端子接続部３Ｃを持たないコンセント２Ｂ”とで構成される配線装置も考えられる。ここで、図１１は複数種類（接地極、信号端子付き、接地極付き、非接地、信号端子付き）のプラグ及びコンセントの相互接続関係を示しており、実線の矢印は相互に接続が可能なプラグ及びコンセントを、点線の矢印は接続が不可能なプラグ及びコンセントを示している。図示のように定格電圧が同じであれば接地極、信号端子付きのプラグ１Ｂとコンセント２Ｂ、接地極付きのプラグ１Ｂ’とコンセント２Ｂ’、非接地、信号端子付きのプラグ１Ｂ”とコンセント２Ｂ”とは相互に接続が可能である。また接地極付きのプラグ１Ｂ’は接地極、信号端子付きのコンセント２Ｂにも接続が可能であるが、接地端子接続部３Ｃを持たないコンセント２Ｂ”には接続することができない。また更に非接地、信号端子付きのプラグ１Ｂ”は、接地極、信号端子付きのコンセント２Ｂにも接続が可能であるが、信号端子接続部３Ｂを持たないコンセント２Ｂ’には接続することができないようになっている。
【００５１】
（実施形態３）
本発明の実施形態３を図１４〜図１６に基づいて説明する。本実施形態では、実施形態１で説明したコンセント２Ａにおいて、ソケット部３に接続されたプラグ１Ａの抜け止めを行う抜止手段が設けられ、プラグ１Ａの脱落を防止している。尚、抜止手段が設けられた点を除いては実施形態１の構成と同様であるので、共通する構成要素には同一の符号を付して、その説明は省略する。
【００５２】
コンセント２Ａのソケット部３には、図１４（ａ）（ｂ）に示すように、プラグ挿入用穴３１の内壁に、プラグ挿入用穴３１の底壁から開口部の手前まで、プラグ挿抜方向に沿って延びる被係止溝３９が形成されている。
【００５３】
一方、プラグ１Ａには、被係止溝３９と対向する部位に、一端側が把持部１１に連結された弾性係止片１９が把持部１１と一体に設けられている。弾性係止片１９の他端側には、ソケット部３に接続された状態でソケット部３の被係止溝３９と係止する係止爪１９ａが設けられ、係止爪１９ａが被係止溝３９から離れる方向において弾性係止片１９が撓み自在となっている。尚、プラグ１Ａをソケット部３に接続した状態で弾性係止片１９の中間部はプラグ挿入用穴３１の外側に露出しており、この露出した中間部が係止爪１９ａの係止状態を解除するために押し操作される操作部１９ｂとなっている。
【００５４】
而して、プラグ１Ａをソケット部３に接続する際に、プラグ１Ａの嵌合部１２をプラグ挿入用穴３１内に挿入すると、プラグ１Ａの嵌合穴１３，１４内にソケット部３の突出部３２，３３が挿入されて、ピン端子１５ａ，１５ｂ及びピン端子１６がソケット部３の刃受部材３５に電気的に接続される。このとき、弾性係止片１９の係止爪１９ａがプラグ挿入用穴３１の内壁に当接する位置までプラグ１Ａを挿入すると、係止爪１９ａがプラグ挿入用穴３１の内壁に押されることによって弾性係止片１９が内側に撓められ、その後、さらにプラグ１Ａを挿入すると、図１６に示すように弾性係止片１９の係止爪１９ａが被係止溝３９と係止して、プラグ１Ａの脱落が防止される。
【００５５】
一方、プラグ１Ａをソケット部３から取り外す際には、弾性係止片１９の中間部に設けられた操作部１９ｂを押し操作すると、弾性係止片１９が内側に撓められて、係止爪１９ａが被係止溝３９から外に出るので、係止爪１９ａと被係止溝３９との係止状態が解除され、プラグ１Ａをソケット部３から容易に引き抜くことができる。
【００５６】
上述のように本実施形態では抜止手段として、係止爪１９ａを有する弾性係止片１９をプラグ１Ａに設けるとともに、プラグ１Ａに設けられた弾性係止片１９の係止爪１９ａが係止する被係止溝３９をソケット部３に設けてあり、プラグ接続時に係止爪１９ａが被係止溝３９に係止することで、プラグ１Ａの抜け止めを行っているのであるが、抜止手段を上記の形態に限定する趣旨のものではなく、プラグ１Ａの抜け止めを行えるのであれば、どのような形態のものでも良い。例えば抜止手段として、プラグ接続時にプラグ１Ａに設けた被係止溝に係止する係止爪をソケット部３に設けても良い。
【００５７】
また本実施形態では実施形態１で説明したプラグ１Ａ及びコンセント２Ａに抜止手段を設けているが、実施形態２で説明したプラグ１Ｂ，１Ｂ’，１Ｂ”及びコンセント２Ｂ，２Ｂ’，２Ｂ”に上述の抜止手段（弾性係止片１９及び被係止溝３９からなる）を設けても良いことは言うまでもない。
【図面の簡単な説明】
【００５８】
【図１】実施形態１の直流電源用の配線装置を示し、（ａ）はコンセントの正面図、（ｂ）はプラグの正面図である。
【図２】同上の交流電源用の配線装置を示し、（ａ）はコンセントの正面図、（ｂ）はプラグの正面図である。
【図３】同上のコンセントを示し、（ａ）は正面図、（ｂ）は右側面図、（ｃ）は背面図、（ｄ）は下面図である。
【図４】同上のコンセントを示し、（ａ）はソケット部の拡大図、（ｂ）はＡ−Ａ断面図、（ｃ）はＢ−Ｂ断面図である。
【図５】同上のソケット部に設けられた嵌合溝の位置を示し、（ａ）は直流電源の場合の説明図、（ｂ）は交流電源の場合の説明図である。
【図６】同上のプラグを示し、（ａ）は正面図、（ｂ）はＣ−Ｃ断面図、（ｃ）はＤ−Ｄ断面図である。
【図７】同上のプラグの外観斜視図である。
【図８】同上のプラグに設けられた識別リブの位置を示し、（ａ）は直流電源の場合の説明図、（ｂ）は交流電源の場合の説明図である。
【図９】実施形態２の直流電源用の配線装置を示し、（ａ）はコンセントの正面図、（ｂ）はプラグの正面図である。
【図１０】同上の交流電源用の配線装置を示し、（ａ）はコンセントの正面図、（ｂ）はプラグの正面図である。
【図１１】同上の複数種類の配線装置の接続関係を示す説明図である。
【図１２】同上の別の直流電源用の配線装置を示し、（ａ）はコンセントの正面図、（ｂ）はプラグの正面図である。
【図１３】同上の別の交流電源用の配線装置を示し、（ａ）はコンセントの正面図、（ｂ）はプラグの正面図である。
【図１４】実施形態３の配線装置を構成するコンセントを示し、（ａ）はソケット部の拡大図、（ｂ）はＥ−Ｅ断面図である。
【図１５】同上を構成するプラグを示し、（ａ）は正面図、（ｂ）はＦ−Ｆ断面図である。
【図１６】同上のコンセントとプラグを接続した状態の断面図である。
【符号の説明】
【００５９】
１Ａ  プラグ
２Ａ  コンセント
３  ソケット部
３Ａ  電源端子接続部
３Ｂ  信号端子接続部
３Ｃ  接地端子接続部
５Ａ  電源端子部
５Ｂ  信号端子部
５Ｃ  接地端子部
１２  嵌合部
１３  嵌合穴
３１  プラグ挿入用穴
３２，３３  突出部
３４ａ，３４ｂ  端子挿入用孔
３５  刃受部材
１５ａ〜１５ｃ  ピン端子
１６ａ，１６ｂ  ピン端子
【図１】
2010055896.tif 000003
【図２】
2010055896.tif 000004
【図３】
2010055896.tif 000005
【図４】
2010055896.tif 000006
【図５】
2010055896.tif 000007
【図６】
2010055896.tif 000008
【図７】
2010055896.tif 000009
【図８】
2010055896.tif 000010
【図９】
2010055896.tif 000011
【図１０】
2010055896.tif 000012
【図１１】
2010055896.tif 000013
【図１２】
2010055896.tif 000014
【図１３】
2010055896.tif 000015
【図１４】
2010055896.tif 000016
【図１５】
2010055896.tif 000017
【図１６】
2010055896.tif 000018